(57)【要約】【課題】            風力発電と太陽光発電の発電量を記憶して表示し、使用電力を予想し、商用電源が停電したときに蓄電された電力を有効利用し、全体が停電する状態をなくすことを課題とする。【解決手段】        風力発電機１と太陽光発電機３を切り替えスイッチ５に接続し、また切り替えスイッチに電力測定用素子６を接続し、さらに電力測定用素子に記憶装置８を接続し、風力発電機と太陽光発電機に接続した蓄電池７に蓄電するように構成してある。また記憶装置の発電量を表示板１１に送信し表示するように構成してある。【選択図】          図１
2005318665.tif 000002
【特許請求の範囲】
【請求項１】
風力発電機と太陽光発電機を有し、同風力発電機と太陽光発電機の発電量を表示する発電量表示装置において、
同風力発電機と太陽光発電機に切り替えスイッチを接続し、また切り替えスイッチに電力測定用素子を接続し、さらに電力測定用素子に記憶装置を接続し、風力発電機と太陽光発電機に接続した蓄電池に蓄電するとともに、記憶装置の信号を表示板に送信し表示するように構成したことを特徴とする発電量表示装置。
【請求項２】
表示板に蓄電量と、表示時点での発電量を表示するように構成したことを特徴とする請求項１記載の発電量表示装置。
【発明の詳細な説明】
【技術分野】
【０００１】
本発明は、風力発電機と太陽光発電機の電力表示装置の改良に関する。
【背景技術】
【０００２】
従来、風力発電装置と太陽光発電装置を併用し、両方の電力を選択するように構成したものが提案されている。風力発電装置と太陽光発電装置を併用すると、片方の発電量が少
ない場合は、他方の装置で補うことができる可能性がある。
【０００３】
【特許文献１】特開２００１−１４５３９６号
【発明の開示】
【発明が解決しようとする課題】
【０００４】
しかし、風力発電機と太陽光発電機の発電量は明確でないことが多い。特に風力発電機と太陽光発電機の設置場所あるいは時期により、双方の発電量は異なることが多い。発電量にバラツキがあると、突然蓄電量の不足により、停電する等の事態が起こることがある。また風力発電機と太陽光発電機及び商用電源を併用している場合等に、風力発電と太陽光発電の発電量が不明であると、商用電源が停電したときに、停電する等の事態が起こることがある。
【０００５】
本発明は、上記の課題に鑑み発明したもので、風力発電と太陽光発電の発電量を絶えず表示することができ、商用電源が停電したときに、風力発電と太陽光発電の蓄電を有効利用し、全体が停電する状態をなくすことができる風力発電機と太陽光発電機の電力表示装置を提供することを目的とする。
【課題を解決するための手段】
【０００６】
上記した課題を解決するために、請求項１に記載の本発明は、風力発電機と太陽光発電機を有し、同風力発電機と太陽光発電機の発電量を表示する発電量表示装置において、
風力発電機と太陽光発電機に切り替えスイッチを接続し、また切り替えスイッチに電力測定用素子を接続し、さらに電力測定用素子に記憶装置を接続して構成してある。また風力発電機と太陽光発電機に接続した蓄電池に蓄電するとともに、記憶装置の信号を表示板に送信し表示するように構成してある。
【０００７】
請求項２に記載の本発明は、表示板に蓄電量と、表示時点での発電量を表示するように構成してある。
【発明の効果】
【０００８】
上記した風力発電機と太陽光発電機の電力表示装置によると、絶えず風力発電と太陽光発電の発電量が記憶され表示されるので、近未来の使用電力を予想することができる。また風力発電と太陽光発電の発電量が表示板に表示されるので、商用電源が停電したときに蓄電された電力を有効利用し、全体が停電する状態をなくすことができる効果がある。
【発明を実施するための最良の形態】
【０００９】
次に本発明の最良の形態を図１乃至図４について説明する。
【実施例１】
【００１０】
図１乃至図４において、１は風力発電機であって、風力発電機の回転翼が風を受けたときに、回転力によって、内部にある発電機が動作し電力が作られる。３は太陽光発電機であって、太陽光発電機の太陽電池パネルは太陽光を受けて発電し、電力が作られる。４はコントローラであって、風力発電機１と太陽光発電機３から作られた電力はコントローラ４を通って電力が蓄えられる。しかし、蓄電池は容量以上の電力が蓄えられると破裂する恐れがある。そこで、蓄電池に過充電されないようにコントローラ４で監視することが行われている。
５は切替えスイッチであって、風力発電により蓄電池に電力が蓄えられると経路と、太陽光発電により蓄電池に電力が蓄えられると経路とを切り替えることができるように構成してある。
６は切替えスイッチ５の端子に接続し測定用素子であって、風力発電機と太陽光発電機による発電量を測定する。７は蓄電池であって、風力発電機と太陽光発電機による電力を蓄えるもので、切替えスイッチ５の一端に接続して構成してある。８は測定用素子６に接続してなる記憶装置であって、風力発電機と太陽光発電機による発電量を記憶させておく装置である。
【００１１】
１１は記憶装置８に接続してなる表示板であって、表示時点での発電量を表示する。１２は表示板１１に接続してなる風速計、１３は表示板１１に接続してなる風向計である。表示板１１は例えば発光ダイオードを用いて構成してある。なお過去の発電量のデータを蓄積し、月単位、週単位、日単位等で表示することもできる。
【００１２】
次に上記した風力発電機と太陽光発電機の電力表示装置の作用を図１乃至図４について説明する。
（１）図１に示す切替えスイッチ５の状態によると、風力発電機１の回転翼が風を受け、回転力によって、内部にある発電機が動作し電力が作られ、また太陽光発電機３の太陽電池パネルは太陽光を受けて発電し、電力が作られ、蓄電池に電力が蓄えられる。なお、図１に示す切替えスイッチ５の状態によると、発電する電力量の測定は行われてない。
（２）図２に示す切替えスイッチ５の状態によると、太陽光発電機３の太陽電池パネルは太陽光を受けて発電し、電力が作られ、蓄電池に電力が蓄えられる。なお、図２に示す切替えスイッチ５の状態によると、風力発電機１の発電量が測定され、さらに記憶装置８に記憶された内容が、表示板に表示されている。
（３）図３に示す切替えスイッチ５の状態によると、風力発電機１の回転翼が風を受け、回転力によって、内部にある発電機が動作し電力が作られ、蓄電池に電力が蓄えられる。なお、図３に示す切替えスイッチ５の状態によると、太陽光発電機３の発電量が測定され、さらに記憶装置８に記憶された内容が、表示板に表示されている。
（４）図４に示す切替えスイッチ５の状態によると、風力発電機１の回転翼２が風を受け、回転力によって、内部にある発電機が動作し電力が作られ、また太陽光発電機３の太陽電池パネルは太陽光を受けて発電し、電力が作られ、電力量は測定用素子に送られ、発電している電力量が、記憶装置８に記憶される。そして、記憶された電力量が表示板に表示される。なお、図４に示す切替えスイッチ５の接続状態によると、発電する電力は蓄電池に蓄えられてない。
【００１３】
また上記した風力発電機と太陽光発電機の電力表示装置において、電力が作られ、電力量は測定用素子に送られ測定する時間は２秒程度である。また測定間隔は任意であるが、２分に１回程度測定し、記憶装置により記憶させておくとよい。
【００１４】
上記した風力発電機と太陽光発電機の電力表示装置を、例えばＬＥＤを用いた防犯灯、庭園灯、足元灯に接続し用いると、風力発電と太陽光発電の発電量が表示されるので、近未来の使用電力を予想することができ、さらに風力発電と太陽光発電の発電量が表示板に表示され、さら記憶されているので、商用電源が停電したときに蓄電された電力を有効利用し、全体が停電する状態をなくすことができる効果がある。また発電量を表示させることよって、自然エネルギーに対しての人の意識が高まり、より自然エネルギーを利用した商品に対して、関心が高まることとなる。
【図面の簡単な説明】
【００１５】
【図１】本発明に係る風力発電機と太陽光発電機の電力表示装置のブロック図であって、蓄電池に電力が蓄えられているが、発電する電力量の測定は行われてない状態を示す。
【図２】図１の電力表示装置のブロック図であって、太陽光により電力が作られ蓄電池に電力が蓄えられており、風力の発電量が測定され、さらに記憶装置に記憶された表示板に表示されている状態を示す。
【図３】図１の電力表示装置のブロック図であって、風力により電力が作られ蓄電池に電力が蓄えられており、太陽光の発電量が測定され、表示板に表示されている状態を示す。
【図４】図１の電力表示装置のブロック図であって、風力発電と太陽光発電により、電力が作られ、電力は蓄電池に蓄えられてない状態を示す。
【符号の説明】
【００１６】
１  風力発電機
３  太陽光発電機
４  コントローラ
５  切替えスイッチ
６  測定用素子
７  蓄電池
８  記憶装置
１１  表示板
１２  風速計
１３  風向計
【図１】
2005318665.tif 000003
【図２】
2005318665.tif 000004
【図３】
2005318665.tif 000005
【図４】
2005318665.tif 000006